(57)【要約】【課題】捜索者による災害対応時の情報共有による支援を可能とする。【解決手段】災害対応支援システムは、ネットワークで接続された管理サーバと、捜索者が利用する１つ以上の端末とを含んで構成される。端末は、捜索状況に対応して順序付けられた複数の状態をもつ捜索対象を状態に応じて表示部に表示する。表示された捜索対象が操作されると、端末は、現在の状態に続く次の状態に応じて表示し、捜索対象の識別情報と、操作後の捜索対象の状態と、端末の識別情報と、端末の位置情報とを含む操作結果データを管理サーバに送信する。管理サーバは、操作結果データを他端末に送信する。他端末は、操作結果データに含まれる捜索対象の状態に応じて捜索対象を表示部に表示する。【選択図】図９
2020140408.tif 000002
【特許請求の範囲】
【請求項１】
ネットワークで接続された管理サーバと、捜索者が利用する１つ以上の端末とを含んで構成される災害対応支援システムであって、
前記端末は、
捜索状況に対応して順序付けられた複数の状態をもつ捜索対象を、前記状態に応じて表示部に表示する表示手段と、
前記表示部に表示された捜索対象が操作されると、現在の状態に続く次の状態に応じて表示する操作受付手段と、
操作された前記捜索対象の識別情報と、操作後の前記捜索対象の状態と、当該端末の位置情報とを含む操作結果データを前記管理サーバに送信する送信手段と、を備え、
前記管理サーバは、
前記操作結果データを、当該操作結果データを送信した端末とは別の端末を示す他端末に送信し、
前記他端末は、
前記操作結果データを受信すると、当該操作結果データに含まれる捜索対象の状態に応じて当該捜索対象を前記他端末の表示部に表示する受信手段を備える
ことを特徴とする災害対応支援システム。
【請求項２】
前記表示手段は、前記捜索対象が前記端末から所定距離外にあるときには、前記所定距離外にあることを表す表示形態で当該捜索対象を表示し、
前記操作受付手段は、前記捜索対象が前記端末から前記所定距離外にあるときには、当該捜索対象に対する操作を受け付けない
ことを特徴とする請求項１に記載の災害対応支援システム。
【請求項３】
前記捜索対象の状態には、前記捜索者が当該捜索対象に向かっている状態である進行中があり、
前記表示手段は、前記端末を前記表示部に表示し、
前記操作受付手段は、前記捜索対象の状態が前記進行中である場合には、前記表示部に表示された前記端末から当該捜索対象に向かうことを示す表示を行い、
前記受信手段は、前記捜索者が前記捜索対象に向かっている進行中の状態である場合には、前記他端末の表示部に当該捜索者の端末を表示し、当該捜索者の端末から当該捜索対象に向かうことを示す表示を行う
ことを特徴とする請求項１に記載の災害対応支援システム。
【請求項４】
前記捜索対象には、要支援者を含み、
前記要支援者の状態には、当該要支援者に向かっている捜索者がいない状態である要支援、前記捜索者が当該要支援者に向かっている状態である進行中、前記捜索者が当該要支援者の居所に到着した状態である到着の何れかを含む
ことを特徴とする請求項１に記載の災害対応支援システム。
【請求項５】
前記捜索対象には、危険地帯を示す場所を含み、
前記場所の状態には、当該場所に向かっている捜索者がいない状態である未確認、当該場所が危険状態であることを示す危険、当該場所が安全であることを示す安全の何れかを含む
ことを特徴とする請求項１に記載の災害対応支援システム。
【請求項６】
前記捜索対象には、施設を含み、
前記施設の状態には、当該施設に向かっている捜索者がいない状態である未確認、当該施設が危険状態であることを示す危険、当該施設が安全であることを示す安全の何れかを含む
ことを特徴とする請求項１に記載の災害対応支援システム。
【請求項７】
ネットワークで接続された管理サーバと、捜索者が利用する１つ以上の端末とを含んで構成される災害対応支援システムの端末であって、
捜索状況に対応して順序付けられた複数の状態をもつ捜索対象を、前記状態に応じて表示部に表示する表示手段と、
前記表示部に表示された捜索対象が操作されると、現在の状態に続く次の状態に応じて表示する操作受付手段と、
操作された前記捜索対象の識別情報と、操作後の前記捜索対象の状態と、当該端末の位置情報とを含む操作結果データを前記管理サーバに送信する送信手段と、
自身とは異なる他の端末から前記管理サーバを経由して前記操作結果データを受信すると、当該操作結果データに含まれる捜索対象の状態に応じて当該捜索対象を前記表示部に表示する受信手段とを備える
ことを特徴とする端末。
【請求項８】
ネットワークで接続された、捜索者が利用する１つ以上の端末を含んで構成される災害対応支援システムの端末であって、
捜索状況に対応して順序付けられた複数の状態をもつ捜索対象を、前記状態に応じて表示部に表示する表示手段と、
前記表示部に表示された捜索対象が操作されると、現在の状態に続く次の状態に応じて表示する操作受付手段と、
操作された前記捜索対象の識別情報と、操作後の前記捜索対象の状態と、当該端末の位置情報とを含む操作結果データを自身とは異なる他の端末に送信する送信手段と、
自身とは異なる他の端末から前記操作結果データを受信すると、当該操作結果データに含まれる捜索対象の状態に応じて当該捜索対象を前記表示部に表示する受信手段とを備える
ことを特徴とする端末。
【請求項９】
ネットワークで接続された管理サーバと、捜索対象を捜索する捜索者が利用する１つ以上の端末とを含んで構成される災害対応支援システムの管理サーバであって、
前記端末で操作され、捜索状況に対応して順序付けられ複数ある状態が変更された捜索対象の識別情報と、操作後の前記捜索対象の状態と、当該端末の位置情報とを含む操作結果データを、当該端末から受信する受信手段と、
前記端末に表示される画像データを、当該端末の表示部に表示される領域内にある前記捜索対象の状態に応じた当該捜索対象を示す画像を含めて生成し、当該端末に送信する画像送信手段とを備える
ことを特徴とする管理サーバ。
【請求項１０】
前記端末に表示される画像データは、前記表示部に表示される領域内にある当該端末とは異なる端末を示す画像を含む
ことを特徴とする請求項９に記載の管理サーバ。
【請求項１１】
ネットワークで接続された管理サーバと、捜索者が利用する１つ以上の端末とを含んで構成される災害対応支援システムの情報処理方法であって、
前記端末は、
捜索状況に対応して順序付けられた複数の状態をもつ捜索対象を、前記状態に応じて表示部に表示するステップと、
前記表示部に表示された捜索対象が操作されると、現在の状態に続く次の状態に応じて表示するステップと、
操作された前記捜索対象の識別情報と、操作後の前記捜索対象の状態と、当該端末の位置情報とを含む操作結果データを前記管理サーバに送信するステップとを実行し、
前記管理サーバは、
前記操作結果データを、当該操作結果データを送信した端末とは別の端末を示す他端末に送信するステップを実行し、
前記他端末は、
前記操作結果データを受信すると、当該操作結果データに含まれる捜索対象の状態に応じて当該捜索対象を前記他端末の表示部に表示するステップとを実行する
ことを特徴とする情報処理方法。
【請求項１２】
ネットワークで接続された管理サーバと、捜索者が利用する１つ以上の端末とを含んで構成される災害対応支援システムの端末の情報処理方法であって、
前記端末は、
捜索状況に対応して順序付けられた複数の状態をもつ捜索対象を、前記状態に応じて表示部に表示するステップと、
前記表示部に表示された捜索対象が操作されると、現在の状態に続く次の状態に応じて表示するステップと、
操作された前記捜索対象の識別情報と、操作後の前記捜索対象の状態と、当該端末の位置情報とを含む操作結果データを前記管理サーバに送信するステップと、
自身とは異なる他の端末から前記管理サーバを経由して前記操作結果データを受信すると、当該操作結果データに含まれる捜索対象の状態に応じて当該捜索対象を前記表示部に表示するステップとを実行する
ことを特徴とする情報処理方法。
【請求項１３】
ネットワークで接続された、捜索者が利用する１つ以上の端末を含んで構成される災害対応支援システムの端末の情報処理方法であって、
前記端末は、
捜索状況に対応して順序付けられた複数の状態をもつ捜索対象を、前記状態に応じて表示部に表示するステップと、
前記表示部に表示された捜索対象が操作されると、現在の状態に続く次の状態に応じて表示するステップと、
操作された前記捜索対象の識別情報と、操作後の前記捜索対象の状態と、当該端末の位置情報とを含む操作結果データを自身とは異なる他の端末に送信するステップと、
自身とは異なる他の端末から前記操作結果データを受信すると、当該操作結果データに含まれる捜索対象の状態に応じて当該捜索対象を前記表示部に表示するステップとを実行する
ことを特徴とする情報処理方法。
【請求項１４】
ネットワークで接続された管理サーバと、捜索対象を捜索する捜索者が利用する１つ以上の端末とを含んで構成される災害対応支援システムの管理サーバの情報処理方法であって、
前記管理サーバは、
前記端末で操作され、捜索状況に対応して順序付けられ複数ある状態が変更された捜索対象の識別情報と、操作後の前記捜索対象の状態と、当該端末の位置情報とを含む操作結果データを、当該端末から受信するステップと、
前記端末に表示される画像データを、当該端末の表示部に表示される領域内にある前記捜索対象の状態に応じた当該捜索対象を示す画像を含めて生成し、当該端末に送信するステップとを実行する
ことを特徴とする情報処理方法。
【請求項１５】
コンピュータに、請求項１２〜１４の何れか１項に記載の情報処理方法を実行させるためのプログラム。
【発明の詳細な説明】
【技術分野】
【０００１】
本発明は、災害対応支援システム、端末、管理サーバ、情報処理方法およびプログラムに関する。
【背景技術】
【０００２】
地震や豪雨などによる土砂崩れ、河川の氾濫などの発生の虞がある場合には、自治体職員や地域住民などが、現場の状況確認や要支援者の救援など災害対応の活動を行う。自治体職員や地域住民など（以下、捜索者とも記す）による活動では、現場や要支援者の状況の他、捜索者の活動情報も重要となってくる。
特許文献１には、捜索活動において、複数の捜索者と捜索依頼者との情報共有を支援するシステムの発明が記載されている。
【先行技術文献】
【特許文献】
【０００３】
【特許文献１】特開２００４−２６５２２５号公報
【発明の概要】
【発明が解決しようとする課題】
【０００４】
特許文献１における捜索対象は、例えば徘徊老人のような一人の人物や動物として記載されている。特許文献１には、捜索者が発見した捜索対象と思われる人物や動物が捜索対象であることを確認することを支援する技術が記載されている。しかしながら、複数の捜索対象を複数の捜索者が捜索する活動を支援する技術についての記載は見当たらない。
本発明は、このような背景を鑑みてなされたのであって、捜索者による災害対応を支援する災害対応支援システム、端末、管理サーバ、情報処理方法およびプログラムを提供することを課題とする。
【課題を解決するための手段】
【０００５】
前記した課題を解決するため、本発明に係る災害対応支援システムは、ネットワークで接続された管理サーバと、捜索者が利用する１つ以上の端末とを含んで構成される災害対応支援システムであって、前記端末は、捜索状況に対応して順序付けられた複数の状態をもつ捜索対象を、前記状態に応じて表示部に表示する表示手段と、前記表示部に表示された捜索対象が操作されると、現在の状態に続く次の状態に応じて表示する操作受付手段と、操作された前記捜索対象の識別情報と、操作後の前記捜索対象の状態と、当該端末の位置情報とを含む操作結果データを前記管理サーバに送信する送信手段と、を備え、前記管理サーバは、前記操作結果データを、当該操作結果データを送信した端末とは別の端末を示す他端末に送信し、前記他端末は、前記操作結果データを受信すると、当該操作結果データに含まれる捜索対象の状態に応じて当該捜索対象を前記他端末の表示部に表示する受信手段を備えることを特徴とする。
【０００６】
本発明に係る端末は、ネットワークで接続された管理サーバと、捜索者が利用する１つ以上の端末とを含んで構成される災害対応支援システムの端末であって、捜索状況に対応して順序付けられた複数の状態をもつ捜索対象を、前記状態に応じて表示部に表示する表示手段と、前記表示部に表示された捜索対象が操作されると、現在の状態に続く次の状態に応じて表示する操作受付手段と、操作された前記捜索対象の識別情報と、操作後の前記捜索対象の状態と、当該端末の位置情報とを含む操作結果データを前記管理サーバに送信する送信手段と、自身とは異なる他の端末から前記管理サーバを経由して前記操作結果データを受信すると、当該操作結果データに含まれる捜索対象の状態に応じて当該捜索対象を前記表示部に表示する受信手段とを備えることを特徴とする。
【０００７】
また、本発明に係る端末は、ネットワークで接続された、捜索者が利用する１つ以上の端末を含んで構成される災害対応支援システムの端末であって、捜索状況に対応して順序付けられた複数の状態をもつ捜索対象を、前記状態に応じて表示部に表示する表示手段と、前記表示部に表示された捜索対象が操作されると、現在の状態に続く次の状態に応じて表示する操作受付手段と、操作された前記捜索対象の識別情報と、操作後の前記捜索対象の状態と、当該端末の位置情報とを含む操作結果データを自身とは異なる他の端末に送信する送信手段と、自身とは異なる他の端末から前記操作結果データを受信すると、当該操作結果データに含まれる捜索対象の状態に応じて当該捜索対象を前記表示部に表示する受信手段とを備えることを特徴とする。
【０００８】
本発明に係る管理サーバは、ネットワークで接続された管理サーバと、捜索対象を捜索する捜索者が利用する１つ以上の端末とを含んで構成される災害対応支援システムの管理サーバであって、前記端末で操作され、捜索状況に対応して順序付けられ複数ある状態が変更された捜索対象の識別情報と、操作後の前記捜索対象の状態と、当該端末の位置情報とを含む操作結果データを、当該端末から受信する受信手段と、前記端末に表示される画像データを、当該端末の表示部に表示される領域内にある前記捜索対象の状態に応じた当該捜索対象を示す画像を含めて生成し、当該端末に送信する画像送信手段とを備えることを特徴とする。
【０００９】
本発明に係る情報処理方法は、ネットワークで接続された管理サーバと、捜索者が利用する１つ以上の端末とを含んで構成される災害対応支援システムの情報処理方法であって、前記端末は、捜索状況に対応して順序付けられた複数の状態をもつ捜索対象を、前記状態に応じて表示部に表示するステップと、前記表示部に表示された捜索対象が操作されると、現在の状態に続く次の状態に応じて表示するステップと、操作された前記捜索対象の識別情報と、操作後の前記捜索対象の状態と、当該端末の位置情報とを含む操作結果データを前記管理サーバに送信するステップとを実行し、前記管理サーバは、前記操作結果データを、当該操作結果データを送信した端末とは別の端末を示す他端末に送信するステップを実行し、前記他端末は、前記操作結果データを受信すると、当該操作結果データに含まれる捜索対象の状態に応じて当該捜索対象を前記他端末の表示部に表示するステップを実行することを特徴とする。
【００１０】
また、本発明に係る情報処理方法は、ネットワークで接続された管理サーバと、捜索者が利用する１つ以上の端末とを含んで構成される災害対応支援システムの端末の情報処理方法であって、前記端末は、捜索状況に対応して順序付けられた複数の状態をもつ捜索対象を、前記状態に応じて表示部に表示するステップと、前記表示部に表示された捜索対象が操作されると、現在の状態に続く次の状態に応じて表示するステップと、操作された前記捜索対象の識別情報と、操作後の前記捜索対象の状態と、当該端末の位置情報とを含む操作結果データを前記管理サーバに送信するステップと、自身とは異なる他の端末から前記管理サーバを経由して前記操作結果データを受信すると、当該操作結果データに含まれる捜索対象の状態に応じて当該捜索対象を前記表示部に表示するステップとを実行することを特徴とする。
【００１１】
本発明に係る情報処理方法は、ネットワークで接続された、捜索者が利用する１つ以上の端末を含んで構成される災害対応支援システムの端末の情報処理方法であって、前記端末は、捜索状況に対応して順序付けられた複数の状態をもつ捜索対象を、前記状態に応じて表示部に表示するステップと、前記表示部に表示された捜索対象が操作されると、現在の状態に続く次の状態に応じて表示するステップと、操作された前記捜索対象の識別情報と、操作後の前記捜索対象の状態と、当該端末の位置情報とを含む操作結果データを自身とは異なる他の端末に送信するステップと、自身とは異なる他の端末から前記操作結果データを受信すると、当該操作結果データに含まれる捜索対象の状態に応じて当該捜索対象を前記表示部に表示するステップとを実行することを特徴とする。
【００１２】
また、本発明に係る情報処理方法は、ネットワークで接続された管理サーバと、捜索対象を捜索する捜索者が利用する１つ以上の端末とを含んで構成される災害対応支援システムの管理サーバの情報処理方法であって、前記管理サーバは、前記端末で操作され、捜索状況に対応して順序付けられ複数ある状態が変更された捜索対象の識別情報と、操作後の前記捜索対象の状態と、当該端末の位置情報とを含む操作結果データを、当該端末から受信するステップと、前記端末に表示される画像データを、当該端末の表示部に表示される領域内にある前記捜索対象の状態に応じた当該捜索対象を示す画像を含めて生成し、当該端末に送信するステップとを実行することを特徴とする。
【００１３】
また、本発明に係るプログラムは、コンピュータに、上記に記載の端末または管理サーバの情報処理方法を実行させるためのプログラムである。
【発明の効果】
【００１４】
本発明によれば、捜索者による災害対応を支援する災害対応支援システム、端末、管理サーバ、情報処理方法およびプログラムを提供することができる。
【図面の簡単な説明】
【００１５】
【図１】第１の実施形態に係る災害対応支援システムの全体構成を示す図である。
【図２】第１の実施形態に係る端末の全体構成を示す図である。
【図３】第１の実施形態に係る対象データベースのデータ構成を示す図である。
【図４】第１の実施形態に係る対象状態データベースのデータ構成を示す図である。
【図５】第1の実施形態に係る端末における、要支援者の初期状態を表示する画面を説明するための図である。
【図６】第1の実施形態に係る端末における、要支援者の第１状態を表示する画面を説明するための図である。
【図７】第１の実施形態に係る管理サーバの記憶部に記憶される対象マスターデータベースのデータ構成を示す図である。
【図８】第１の実施形態に係る端末の起動時の処理を示すフローチャートである。
【図９】第１の実施形態に係る端末における、アイコンの操作時の処理を示すフローチャートである。
【図１０】第１の実施形態に係る操作結果データのデータ構成を示す図である。
【図１１】第１の実施形態に係る端末でアイコンが操作されたときの管理サーバや操作された端末以外の端末での処理を示すフローチャートである。
【図１２】第１の実施形態に係る他端末の画面を説明するための図である。
【図１３】第１の実施形態の変型例に係る対象状態データベースのデータ構成を示す図である。
【図１４】第２の実施形態に係る対象状態データベースのデータ構成を示す図である。
【図１５】第２の実施形態に係る端末における、要支援者の第１状態の画面を説明するための図である。
【図１６】第２の実施形態に係る端末における、要支援者の初期状態を表示する画面を説明するための図である。
【図１７】第２の実施形態に係る端末における、要支援者の第１状態および端末との接続を表示する画面を説明するための図である。
【図１８】第２の実施形態に係る端末とは異なる他端末における、要支援者の操作不可アイコンを表示する画面を説明するための図である。
【図１９】第２の実施形態に係る端末とは異なる他端末における、要支援者の操作不可アイコンおよび端末との接続を表示する画面を説明するための図である。
【図２０】第３の実施形態に係る対象データベースのデータ構成を示す図である。
【図２１】第３の実施形態に係る端末における、操作可アイコンを表示する画面を説明するための図である。
【発明を実施するための形態】
【００１６】
≪災害対応支援システムの全体構成≫
以下に、本発明を実施するための形態（実施形態）における災害対応支援システムについて説明する。図１は、第１の実施形態に係る災害対応支援システム１０の全体構成を示す図である。災害対応支援システム１０は、ネットワーク３８０で接続された管理サーバ３００および１つ以上の端末１００を含んで構成される。
【００１７】
災害対応支援システム１０は、避難所となる施設の現状確認、決壊の虞がある河川の堤防や崖崩れが発生しやすい場所（危険地帯）などの現状確認、要支援者の避難支援など、災害対応活動を支援するシステムである。以下では、現状確認や避難支援の対象となる施設や場所、要支援者などを「捜索対象」または単に「対象」と記したり、現状確認や避難支援といった活動を「捜索活動」または単に「捜索」と記したりする。
【００１８】
≪端末の全体構成≫
図２は、第１の実施形態に係る端末１００の全体構成を示す図である。端末１００は、例えば、スマートフォンのような携帯型のコンピュータである。端末１００は、ＣＰＵ（Central Processing Unit）１１１、記憶部１１２、タッチパネルディスプレイ１１３、位置検出部１１４および通信部１１５を含んで構成される。
【００１９】
記憶部１１２は、ＤＲＡＭ（Dynamic Random Access Memory）やフラッシュメモリなどから構成される。記憶部１１２は、対象データベース１２０（図２では対象ＤＢ（Database）と記載、後記する図３参照）、対象状態データベース１３０（図２では対象状態ＤＢと記載、後記する図４参照）、ＣＰＵ１１１で実行され、端末１００を災害対応支援システム１０の端末として機能させるためのプログラム、プログラムの実行に必要な一時的なデータ、地図データなどを記憶する。
【００２０】
タッチパネルディスプレイ１１３は、表示部と操作部を備えたデバイスであって、地図上に捜索対象を示すアイコンを表示したり、端末１００の利用者である捜索者のアイコンに対する操作を受け付けたりする。位置検出部１１４は、ＧＮＳＳ（Global Navigation Satellite System）などを用いて端末１００の位置を検出してＣＰＵ１１１に出力する。通信部１１５は、携帯電話回線などを用いて、管理サーバ３００との通信データを送受信する。
【００２１】
≪端末の全体構成：対象データベース≫
図３は、第１の実施形態に係る対象データベース１２０のデータ構成を示す図である。対象データベース１２０は、例えば表形式のデータであって、１つの行（レコード）は、１つの施設、場所、要支援者などの捜索対象を示す。１つのレコードは、緯度１２１、経度１２２、対象識別情報１２３（図３では対象ＩＤ（Identifier）と記載）、種別１２４、操作不可アイコン１２５、操作可アイコン１２６および操作端末１２７の列（属性）を含む。
【００２２】
緯度１２１と経度１２２は、レコードが示す対象の位置を示す。対象識別情報１２３は、対象の識別情報である。種別１２４は、対象の種別であって、避難所などの「施設」、堤防などの「場所」、要支援者を示す「要支援」などの値がある。
操作不可アイコン１２５および操作可アイコン１２６は、タッチパネルディスプレイ１１３上に対象が表示されるときのアイコンの識別情報である。端末１００の利用者（捜索者）が、アイコンを操作できる状態である場合には操作可アイコン１２６に示される識別情報に対応するアイコンが表示され、操作できない状態である場合には操作不可アイコン１２５に示される識別情報に対応するアイコンが表示される。操作可否は、対象と端末１００（端末利用者である捜索者）との距離によって決まる。
【００２３】
操作端末１２７には、対象のアイコン（操作可アイコン１２６）を操作した端末の情報が含まれる。操作した端末は、対象データベース１２０を記憶する端末１００自体に限らず、他の端末である場合もある。
レコード１２９は、対象識別情報が「１７３４」である要支援者を示すレコードであって、要支援者の自宅の位置が北緯35.4821度、東経139.8284度であることを示す。また、この要支援者のアイコンが操作可能ならば「Ｉ３５」で識別されるアイコンが表示され、操作不可ならば「Ｉ３２」で識別されるアイコンが表示されることを示す。
【００２４】
≪端末の全体構成：対象状態データベース≫
図４は、第１の実施形態に係る対象状態データベース１３０のデータ構成を示す図である。対象状態データベース１３０は、例えば表形式のデータであって、１つの行（レコード）は、１つの対象の状態と、対象を示す操作不可アイコン１２５または操作可アイコン１２６で識別されるアイコンの表示色とを示す。１つのレコードは、対象識別情報１３１、初期状態１３２、第１状態１３３および第２状態１３４の列（属性）を含む。
【００２５】
対象識別情報１３１は、対象の識別情報であって、対象識別情報１２３（図３参照）に対応する。初期状態１３２は、対象を示すアイコンが、自端末または他端末から一度も操作されていない初期状態で表示されるときの対象の状態とアイコンの表示色を示す。第１状態１３３は、初期状態から１度操作された第１状態で表示されるときの対象の状態とアイコンの表示色を示す。第２状態１３４は、第１状態から１度操作された第２状態で表示されるときの対象の状態とアイコンの表示色を示す。
【００２６】
レコード１３８は、対象識別情報が「３９４８」である施設（図３のレコード１２８参照）を示し、初期状態では、施設の状況（被害状況）が未確認であって、施設を示すアイコンが黄色で表示されることを示す。また、レコード１３８は、施設を示すアイコンが１度操作された場合には、施設が危険な状態であって、アイコンが赤色で表示されることを示す。レコード１３８は、さらにアイコンが操作されると、施設が安全な状態であって、アイコンが青色で表示されることを示す。なお、もう一度アイコンが操作されると、初期状態に戻り、初期状態１３２に示される未確認で、アイコンは黄色で表示される状態になる。
【００２７】
レコード１３９は、対象識別情報が「１７３４」である要支援者（図３のレコード１２９参照）を示し、初期状態では、要支援者の状況が未確認（不明）であり、赤色で表示されることを示す。また、レコード１３９は、要支援者を示すアイコンが１度操作された場合には、端末利用者である捜索者が状況確認のために要支援者宅に向かっている状態（進行中）であって、黄色で表示されることを示す。レコード１３９は、さらにアイコンが操作されると、捜索者が要支援者宅に到着して状況を確認した状態であって、アイコンが青色で表示されることを示す。なお、もう一度アイコンが操作されると、初期状態に戻り、初期状態１３２に示される要支援で、アイコンは赤色で表示される状態になる。
【００２８】
≪端末の全体構成：画面表示≫
図５は、第1の実施形態に係る端末１００における、要支援者の初期状態を表示する画面４１０を説明するための図である。画面４１０には、端末１００を示すアイコン４１１、要支援者を示すアイコン４１４、施設を示すアイコン４１３および崖崩れの虞がある場所を示すアイコン４１５が、地図上に配置されて表示される。なお、二重線は道路を示す。
【００２９】
点線で示される円４１２は、端末から所定距離内にある範囲を示しており、所定時間で到達可能な場所の目安を示している。アイコン４１４で示される要支援者は、端末１００から所定距離内にある。アイコン４１４は、初期状態の操作可アイコンであって赤色（図４のレコード１３９の初期状態１３２参照）で表示されている（図５ではハッチングなしで記載）。一方、アイコン４１３で示される施設やアイコン４１５で示される場所は、端末１００から所定距離外にあり、アイコン４１３，４１５は、初期状態の操作不可アイコンとして黄色（図４のレコード１３８の初期状態１３２参照）表示されている（図５では格子模様でハッチングして記載）。
【００３０】
捜索者は、画面４１０を閲覧することで、所定距離内に要支援者がいて、さらに赤色の要支援の状態（初期状態）であることが、一目して判断できる。以下では、捜索者が、要支援者の状況確認に向かうことを決定して、アイコン４１４をタップする操作をしたとして、説明を続ける。なお、アイコン４１３，４１５は、操作不可であり、タップしても変化しない。
【００３１】
図６は、第1の実施形態に係る端末１００における、要支援者の第１状態を表示する画面４１０Ａを説明するための図である。画面４１０の初期状態のアイコン４１４が操作されると、第１状態の要支援者を示すアイコン４１４Ａに変化する。要支援者の第１状態は、レコード１３９の第１状態１３３（図４参照）に示されるように、進行中（捜索者が要支援者宅に向かっている状態）であって、黄色のアイコン４１４Ａで表示される（図６では、格子模様でハッチングして記載）。
【００３２】
捜索者が要支援者宅に到着して、アイコン４１４Ａをタップすると、アイコン４１４Ａは第２状態の要支援者を示すアイコンに変化する。要支援者の第２状態は、レコード１３９の第２状態１３４（図４参照）に示されるように、到着であって、青色で表示される。
【００３３】
≪管理サーバの構成≫
管理サーバ３００は、コンピュータであって、ＣＰＵ、記憶部、通信部を含んで構成される。図７は、第１の実施形態に係る管理サーバ３００の記憶部に記憶される対象マスターデータベース３２０のデータ構成を示す図である。対象マスターデータベース３２０は、端末１００が記憶する対象データベース１２０のマスターとなるデータであって、災害時に備えて予め用意されているデータであり、崖崩れが発生しやすい場所や要支援者などの捜索対象の情報が記憶されている。
【００３４】
対象マスターデータベース３２０は、例えば表形式のデータであって、１つの行（レコード）は、１つの施設、場所、要支援者などの捜索対象を示す。１つのレコードは、緯度３２１、経度３２２、対象識別情報３２３、種別３２４および操作端末３２５の列（属性）を含み、それぞれ、対象データベース１２０の緯度１２１、経度１２２、対象識別情報１２３、種別１２４および操作端末１２７に対応する。
端末１００は、起動時に対象マスターデータベース３２０のデータを取得して、対象データベース１２０を初期化する。
【００３５】
≪端末起動時の処理≫
図８は、第１の実施形態に係る端末１００の起動時の処理を示すフローチャートである。図８を参照しながら、端末１００を起動して、画面４１０（図５参照）が表示されるまでの処理を説明する。
ステップＳ１１１においてＣＰＵ１１１は、対象データベース１２０を初期化する。詳しくは、ＣＰＵ１１１は、管理サーバ３００の対象マスターデータベース３２０にある対象の情報を取得して、対象データベース１２０に格納して初期化する。
【００３６】
ステップＳ１１２においてＣＰＵ１１１は、位置検出部１１４から端末１００の現在位置を取得する。
ステップＳ１１３においてＣＰＵ１１１は、地図（道路）、端末１００を示すアイコン４１１、円４１２を表示する。
ステップＳ１１４においてＣＰＵ１１１は、対象データベース１２０に含まれる対象ごとにステップＳ１１５〜Ｓ１１８を繰り返す。以下では、ステップＳ１１４で選択された対象を、選択対象と記す。
【００３７】
ステップＳ１１５においてＣＰＵ１１１は、選択対象が、画面４１０内にあるか否かを判断し、あれば（ステップＳ１１５→Ｙ）ステップＳ１１６に進み、なければ（ステップＳ１１５→Ｎ）ステップＳ１１９に進む。ＣＰＵ１１１は、選択対象が画面４１０内にあるか否かを、選択対象の緯度１２１および経度１２２と、表示中の地図の領域とから判断する。
【００３８】
ステップＳ１１６においてＣＰＵ１１１は、選択対象が、円４１２内にある（現在位置から所定距離内の範囲にある）か否かを判断し、あれば（ステップＳ１１６→Ｙ）ステップＳ１１８に進み、なければ（ステップＳ１１６→Ｎ）ステップＳ１１７に進む。ＣＰＵ１１１は、選択対象が円４１２内にあるか否かを、選択対象の緯度１２１および経度１２２と、現在位置とから判断する。
【００３９】
ステップＳ１１７においてＣＰＵ１１１は、選択対象の操作不可アイコンを表示する。詳しくは、ＣＰＵ１１１は、選択対象の緯度１２１および経度１２２に対応する画面４１０内の位置に、操作不可アイコン１２５（図３参照）に示される識別情報に対応するアイコンを初期状態１３２（図４参照）に示される色で表示する。
ステップＳ１１８においてＣＰＵ１１１は、選択対象の操作可アイコンを表示する。詳しくは、ＣＰＵ１１１は、選択対象の緯度１２１および経度１２２に対応する画面４１０内の位置に、操作可アイコン１２６（図３参照）に示される識別情報に対応するアイコンを初期状態１３２（図４参照）に示される色で表示する。
【００４０】
ステップＳ１１９においてＣＰＵ１１１は、対象データベース１２０に含まれる全ての対象についてステップＳ１１５〜Ｓ１１８を繰り返し処理したか判断する。全ての対象について処理済みならば起動時の処理を終了し、未処理の対象があれば選択対象としてステップＳ１１５に戻って処理する。
【００４１】
≪アイコン操作時の端末での処理≫
図９は、第１の実施形態に係る端末１００における、アイコンの操作時の処理を示すフローチャートである。図９を参照しながら、アイコンが操作されたときの処理を説明する。
ステップＳ１２１においてＣＰＵ１１１は、位置検出部１１４から端末１００の現在位置を取得する。
ステップＳ１２２においてＣＰＵ１１１は、操作されたアイコンが示す対象が、円４１２内にある（現在位置から所定距離内にある）か否かを判断し、あれば（ステップＳ１２２→Ｙ）ステップＳ１２３に進み、なければ（ステップＳ１２２→Ｎ）図９の処理を終える。
【００４２】
ステップＳ１２３においてＣＰＵ１１１は、操作されたアイコンの現在の表示が初期状態１３２（図４参照）ならば（ステップＳ１２３→初期状態）ステップＳ１２４に進み、第１状態１３３ならば（ステップＳ１２３→第１状態）ステップＳ１２５に進み、第２状態１３４ならば（ステップＳ１２３→第２状態）ステップＳ１２６に進む。
【００４３】
ステップＳ１２４においてＣＰＵ１１１は、操作されたアイコンを第１状態１３３に示される色で表示する。
ステップＳ１２５においてＣＰＵ１１１は、操作されたアイコンを第２状態１３４に示される色で表示する。
ステップＳ１２６においてＣＰＵ１１１は、操作されたアイコンを初期状態１３２に示される色で表示する。
【００４４】
ステップＳ１２７においてＣＰＵ１１１は、操作結果データ２１０（後記する図１０参照）を管理サーバ３００に送信する。図１０は、第１の実施形態に係る操作結果データ２１０のデータ構成を示す図である。図１０に示すように、操作結果データ２１０は、対象を示すアイコンを操作したときの端末１００の位置を示す緯度２１１と経度２１２、操作対象の対象識別情報２１３、操作対象の種別２１４、端末１００の識別情報２１５および操作後の対象の状態２１６を含む。操作結果データ２１０を受信した管理サーバ３００の処理については、後記する図１１で説明する。
【００４５】
図９に戻って、ステップＳ１２８においてＣＰＵ１１１は、操作結果データ２１０を対象データベース１２０（図３参照）に反映する。詳しくは、ＣＰＵ１１１は、対象データベース１２０のレコードのなかで、対象識別情報１２３が操作結果データ２１０の対象識別情報２１３に一致するレコードの操作端末１２７に、自身である端末１００の識別情報２１５や緯度２１１、経度２１２、対象の状態２１６および送信した時刻などの情報を格納する。
【００４６】
≪アイコン操作時の管理サーバおよび他端末での処理≫
図１１は、第１の実施形態に係る端末１００でアイコンが操作されたときの管理サーバ３００や操作された端末以外の端末（以下、他端末と記す）での処理を示すフローチャートである。図１１を参照しながら、図９のステップＳ１２７において操作結果データ２１０が送信された後の管理サーバ３００や他端末の処理を示す。
ステップＳ１３１において管理サーバ３００は、ステップＳ１２７において送信された操作結果データ２１０を受信する。
【００４７】
ステップＳ１３２において管理サーバ３００は、対象マスターデータベース３２０（図７参照）のレコードのなかで、対象識別情報３２３が受信した操作結果データ２１０の対象識別情報２１３に一致するレコードの操作端末３２５を更新する。詳しくは、管理サーバ３００は、操作端末３２５に、端末の識別情報２１５や緯度２１１、経度２１２、対象の状態２１６および受信した時刻などの情報を格納する。
ステップＳ１３３において管理サーバ３００は、送信してきた端末１００以外の端末である他端末に、操作結果データ２１０を転送する。
【００４８】
ステップＳ１３４において他端末は、管理サーバ３００から操作結果データ２１０を受信する。
ステップＳ１３５において他端末は、ステップＳ１２８と同様にして自身の対象データベース１２０を更新する。なお、操作端末１２７に格納される端末の識別情報は、アイコンを操作した端末１００の識別情報となる。
【００４９】
ステップＳ１３６において他端末は、画面を更新する。詳しくは、他端末の画面に表示されている操作可アイコン（他端末から所定距離内にある対象を示すアイコン）および操作不可アイコンに対応する対象データベースのレコードが、ステップＳ１３５で更新されたならば、対象の状態に合わせてアイコンの色を変更する。
【００５０】
図１２は、第１の実施形態に係る他端末の画面４２０を説明するための図である。アイコン４２１は他端末を示すアイコンである。施設を示すアイコン４１３Ａは、他端末から所定距離内にあり、未確認の状態を示す黄色で表示されている（図４のレコード１３８の初期状態１３２参照）。ステップＳ１３６の処理により、アイコン４１４Ｂは、他端末の画面４２０において、初期状態の要支援を示す赤色から進行中である黄色に変化する。
このようにアイコン４１４Ｂが変化することにより、他端末の利用者（捜索者）は、他の捜索者がアイコン４１４Ｂに示される要支援者に向かっていることが把握できる。
【００５１】
≪画面再表示≫
図８を参照して端末１００の起動時の画面表示を説明し、図９を参照して端末１００でアイコンが操作されたときの画面表示を、図１１を参照して自身とは異なる他の端末でアイコンが操作されたときの画面表示を説明した。以下では、画面表示後に所定の時間が経過したり、画面の縮小拡大がおこなわれたり、端末１００が移動したりしたときの画面表示（画面再表示）について説明する。
【００５２】
画面再表示の処理は、ステップＳ１１７およびＳ１１８を除いてステップＳ１１２〜Ｓ１１９（図８参照）と同様である。画面再表示におけるステップＳ１１７においてＣＰＵ１１１は、選択対象の緯度１２１および経度１２２に対応する画面４１０内の位置に、操作不可アイコン１２５（図３参照）に示される識別情報に対応するアイコンを現在の状態に対応する色で表示する。画面再表示におけるステップＳ１１８においてＣＰＵ１１１は、選択対象の緯度１２１および経度１２２に対応する画面４１０内の位置に、操作可アイコン１２６（図３参照）に示される識別情報に対応するアイコンを現在の状態に対応する色で表示する。現在の状態は、対象データベース１２０（図３参照）のなかの選択対象に対応するレコードの操作端末１２７を参照することで取得できる。
【００５３】
≪アイコン操作の特徴≫
対象を示すアイコンは、施設や場所、要支援者などの種別に応じた形状をしており、端末の利用者は、アイコンを見ただけで対象の種別を判断できる。また、対象の状態に応じてアイコンの色が変わるため、アイコンを見ただけで対象の状態を把握できる。
対象の状態としては、要支援者については、要支援（未確認）、進行中（確認に向かっている最中）、到着（確認済）と、災害支援において基本的となる状態の何れかであり、タップするという簡単な操作で状態を切り替えることができる。文字入力やメニューなどを選択する操作と比較して簡単に対象の状態を変更することができる。
【００５４】
また、図１１および図１２で説明したように、他の捜索者の操作により状態が変更された対象についても、自身の端末で把握することができる。これにより、複数の捜索者が同じ対象に向かうことを防ぐことができ、重複することなく多くの対象を捜索することができるようになり、効率的な捜索が可能となる。
【００５５】
≪第１の実施形態の変型例：対象の状態の数≫
第１の実施形態では、対象の種別によらず状態の数は同じである。これに対して、種別によって、状態の数が異なるようにしてもよい。図１３は、第１の実施形態の変型例に係る対象状態データベース１３０Ａのデータ構成を示す図である。対象状態データベース１３０（図４参照）と比較して、５番目の属性（列）として第３状態１３５が追加される。施設や場所については、未確認、進行中（確認するために現地に向かっている状態）、危険、安全と４つの状態がある（レコード１３８Ａ，１３８Ｂ参照）。要支援については、３つの状態のままであり、第３状態１３５は、「Ｎ／Ａ」になっている（レコード１３９Ａ参照）。
【００５６】
≪第１の実施形態の変型例：アイコンの表示形態≫
第１の実施形態では、状態に応じてアイコンの色が異なる。色ではなく、アイコン自体の形状が異なるようにしてもよい。または、状態をテキストで表示するようにしてもよいし、要支援者の氏名や年齢（老人、乳幼児の区別など）、人数などの詳細情報を表示するようにしてもよい。なお、対象の詳細情報は、対象データベース１２０に記憶するようにしてもよい。
【００５７】
第１の実施形態では、端末から所定距離外にある対象は、操作不可アイコンとして表示されているが、表示しないようにしてもよい。または現在の状態を含まず、操作不可アイコンだけを表示するようにしてもよい。
第１の実施形態では、距離は直線距離であるが、道路に沿った移動距離であってもよい。直線距離では所定距離内であっても、移動距離が長く所定距離を超えた場合には、対象を操作不可アイコンとして表示するようにしてもよい。
【００５８】
≪第１の実施形態の変型例：アイコンの操作≫
第１の実施形態では、アイコンの操作は、アイコンをタップする操作である。タップ以外の操作であってもよい。誤操作を抑止するために、例えば、ロングタップでアイコンを操作するようにしてもよい。
【００５９】
第１の実施形態では、所定距離外にあるアイコンに対しては操作ができない。所定距離外にあっても、捜索に向かうと端末の利用者が決定した場合には、利用者が一般の操作とは異なる操作を行うことで、端末が操作を受け付けるようにしてもよい。例えば、ロングタップの操作を検知した場合には、端末は、要支援者の操作不可アイコンであっても、操作を受け付けて、初期状態１３２の要支援から第１状態１３３の進行中に変更してもよい（図４のレコード１３９参照）。
【００６０】
第１の実施形態では、アイコンを操作することで、利用者は、施設や場所の状態を第１状態１３３（危険、図４参照）や第２状態１３４（安全）に、要支援者の状態を第１状態１３３（進行中）から第２状態１３４（到着）に変更することができる。端末は、現在位置が緯度１２１（図３参照）と経度１２２とで示される対象の位置から離れているときには、操作を受け付けないようにしてもよい。このようにすることで、利用者の誤操作を防止することができる。
【００６１】
≪第１の実施形態の変型例：端末間の直接通信≫
第１の実施形態では、管理サーバ３００を介して操作結果データ２１０（図１０参照）が他端末に配信されていた。端末間で直接やり取りする（Ｐ２Ｐ（peer to peer）通信）ようにしてもよい。このようにすることで、携帯通信網が利用できず、管理サーバ３００と通信できない場合であっても、端末間で直接に捜索活動の情報をやり取りできる。
【００６２】
≪第１の実施形態の変型例：端末の利用者≫
第１の実施形態では、端末の利用者は、捜索者である。対象が端末を利用するようにしてもよい。例えば、要支援者が端末を利用することで、捜索者が自身の救援に向かっていることが判ることや、何時ごろに到着するか予測することができ、避難準備をすることができるようになる。
【００６３】
対象が自身のアイコンを操作して、状態を公開することも可能である。状況的に安全である、または端末を利用していない近隣住民などが到着している場合に、状態を「到着(青)」とすることにより、不要な捜索者の移動を削減する事ができる。
上記したＰ２Ｐ通信を利用すれば、携帯通信網が利用できない場合であっても、要支援者の端末は、受信している捜索者の端末の電波強度から捜索者までの距離を知ることができるようなる。
【００６４】
住人の在不在を検知可能なセンサを要支援者宅に設置して、災害対応支援システム１０と連携できるようにしてもよい。種別１２４（図３参照）として、「不在要支援者」を設け、端末１００は、要支援者宅が不在ならば、種別１２４を「不在要支援者」として、操作不可アイコンとして表示するようにしてもよい。こうすることで、捜索者は捜索不要であると判断することができ、他の対象の捜索に向かうことができる。
【００６５】
≪第１の実施形態の変型例：端末位置による状態変更≫
第１の実施形態では、利用者がアイコンを操作することで、対象の状態を変更していた。端末１００の位置に応じて変更するようにしてもよい。以下の説明では、要支援者の状態として、初期状態が要支援、第１状態が進行中、第２状態が到着、第３状態が移動中として説明する。移動中とは、捜索者と一緒に要支援者が避難所に移動しているという状態である。
【００６６】
要支援者の状態が第１状態（進行中）であって、端末１００の現在位置が要支援者の位置と同一と見なされると、端末１００は、要支援者の状態を第２状態（到着）とする操作結果データ２１０（図１０参照）を管理サーバ３００に送信し、対象データベース１２０（図３参照）を更新する。続いて、端末１００の現在位置が要支援者の位置から離れたと見なされると、端末１００は、要支援者の状態を第３状態（移動中）とする操作結果データ２１０を管理サーバ３００に送信し、対象データベース１２０（図３参照）を更新する。
このようにすることで、捜索者が捜索活動に忙しく、端末１００を操作できない状況であっても、捜索状況を更新することができるようになる。
【００６７】
≪第１の実施形態の変型例：管理サーバでの捜索状況表示≫
第１の実施形態では、端末１００は、所定距離内である範囲付近の対象をアイコンで表示している。管理サーバ３００は、自身に接続された大型のディスプレイに、端末１００より広域の対象の状態を表示するようにしてもよいし、全ての対象の状態を表示するようにしてもよい。このように、管理サーバ３００が広域の対象の状態を表示することで、災害対応本部などでは、地域全体の状況を把握しやすくなり、捜索者に対してより適切な捜索の指示を出すことができるようになる。
【００６８】
≪第１の実施形態の変型例：対象データベース≫
上記した第１の実施形態における端末１００の起動時の処理において、端末１００は、管理サーバ３００からマスターデータ（図７に記載の対象マスターデータベース３２０参照）を取得して、対象データベース１２０を初期化していた。これに替えて、捜索対象を対象データベース１２０に予め記憶するようにしてもよい。また、起動時にマスターデータとの差分を取得して、対象データベース１２０を更新するようにしてもよい。
こうすることで、端末１００が管理サーバ３００と通信不可能な状態であっても、捜索者は端末１００を利用することができる。
【００６９】
≪第２の実施形態≫
第１の実施形態では、対象と捜索者との関係について、所定距離内にあるか否かに応じて操作可アイコンと操作不可アイコンとを表示していた。これに対して、進行中の場合に、対象と捜索者の関係を明示的に表示するようにしてもよい。
【００７０】
図１４は、第２の実施形態に係る対象状態データベース１３０Ｂのデータ構成を示す図である。値として、状態やアイコンの色に加えて、接続の有無を含んでいる。「接続：無」は、対象と捜索者の関係を表示しないことを示す。「接続：有」は、対象と捜索者の関係を表示することを示す。レコード１３９Ｂは、要支援者を示すレコードであって、第１状態１３３に示されるように、進行中の状態では、対象と捜索者の関係を表示することを示す。
【００７１】
図１５は、第２の実施形態に係る端末１００における、要支援者の第１状態の画面４１０Ｂを説明するための図である。第１状態の要支援者を示すアイコン４１４Ｃが表示されるときには、端末１００を示すアイコン４１１からアイコン４１４Ｃに向かって矢印４１６が表示される。矢印４１６は、アイコン４１１で示される端末１００の利用者である捜索者が、アイコン４１４Ｃで示される要支援者宅に向かっていることを示している。
【００７２】
端末１００での操作による画面の変化と、他端末での画面の変化とを以下で詳しく説明する。図１６は、第２の実施形態に係る端末１００における、要支援者の初期状態を表示する画面４３０を説明するための図である。図１７は、第２の実施形態に係る端末１００における、要支援者の第１状態および端末との接続を表示する画面４３０Ａを説明するための図である。図１８は、第２の実施形態に係る端末１００とは異なる他端末における、要支援者の操作不可アイコンを表示する画面４４０を説明するための図である。図１９は、第２の実施形態に係る端末１００とは異なる他端末における、要支援者の操作不可アイコンおよび端末との接続を表示する画面４４０Ａを説明するための図である。
【００７３】
画面４３０において利用者が初期状態のアイコン４３２を操作すると、画面４３０Ａに示すように第１状態のアイコン４３２Ａに変化するとともに、矢印４３３が表示される。一方、他端末では、操作前の画面４４０で要支援者を示す操作不可アイコン４３２Ｃに加え、操作後には画面４４０Ａに示すように操作が行われた端末１００を示すアイコン４３１Ｃや矢印４３３Ｄが表示される。
【００７４】
他端末は、管理サーバ３００から操作結果データ２１０を受信したタイミングで、画面を更新する。詳しくは、対象と操作が行われた端末１００とが画面４４０内にあるときには、操作が行われた端末１００を示すアイコン４３１Ｃと矢印４３３Ｄを表示する。
このようにすることで、他端末の利用者は、どの端末の利用者（捜索者）が要支援者に向かっているか把握することができる。
【００７５】
≪第３の実施形態≫
第１の実施形態では、端末からの所定の範囲を示す円４１２（図５参照）は、１つであった。所定の近距離を示す円で示される近距離範囲と、所定の中距離を示す円で示される中距離範囲を表示するようにしてもよい。
【００７６】
図２０は、第３の実施形態に係る対象データベース１２０Ａのデータ構成を示す図である。対象データベース１２０（図３参照）と比較して、操作可アイコン１２６の属性に替えて、操作可（近）アイコン１２６Ａの属性および操作可（中）アイコン１２６Ｂの属性を備えている。操作可（近）アイコン１２６Ａは、所定の近距離内にある対象を示すアイコンの識別情報である。操作可（中）アイコン１２６Ｂは、所定の中距離内にある対象を示すアイコンの識別情報である。
【００７７】
図２１は、第３の実施形態に係る端末１００における、操作可アイコンを表示する画面４５０を説明するための図である。アイコン４５１は、端末１００を示すアイコンである。点線の円４５２は、所定の近距離範囲を示す。点線の円４５３は、所定の中距離範囲を示す。近距離範囲にある施設を示すアイコン４５４と中距離範囲にある要支援者を示すアイコン４５５は、大きさが異なって表示されている。同じ種別の対象を示すアイコンを近距離範囲と中距離範囲で大きさを変えて表示するのではなく、アイコンの形状を変えて表示するようにしてもよい。
【００７８】
このように、距離に応じて表示するアイコンを変化させることで、利用者は、対象が近距離にあるのか中距離にあるのか一目で判断することができるようになる。
また距離に応じて、例えば中距離では第２状態にならないようにする、など操作を限定する事によって、誤操作を削減することができる。
【００７９】
≪第４の実施形態≫
第１の実施形態では、端末１００が、自身の現在位置、地図データ、対象データベース１２０、対象状態データベース１３０などに基づいて、タッチパネルディスプレイ１１３に表示する画像データを生成している（図８参照）。端末１００ではなく、管理サーバ３００が、端末１００の位置情報をもとに、図８と同様の処理を実行して、画像データを生成して端末１００に送信し、端末１００は、受信した画像データを表示するようにしてもよい。以下に、管理サーバ３００の構成と、端末１００を含めた処理を説明する。
【００８０】
管理サーバ３００は、対象マスターデータベース３２０（図７参照）の他に、対象状態データベース１３０や地図データ、アイコンの画像データなどを記憶する。
端末１００は、所定のタイミングで自身の現在位置を管理サーバ３００に通知する。例えば、定期的に、または前回の通知から所定の距離以上移動したときに通知する。
【００８１】
管理サーバ３００は、端末１００からの通知を受信すると、図８に記載のステップＳ１１３〜Ｓ１１９と同様の処理を実行して、端末１００が表示する画像データを生成する。なお、ステップＳ１１８，Ｓ１１９では、対象のアイコンが、初期状態１３２（図４参照）ではなく、対象マスターデータベース３２０の操作端末３２５（図７参照）を参照して、現時点での対象の状態に応じた色になるようにする。さらに、操作端末３２５にある他の端末の位置が画面内にある場合には、当該位置に他の端末のアイコンを画像データに加え、端末１００に送信する。
端末１００は、画像データを受信して表示する。
【００８２】
このようにすることで、端末１００の負荷が削減でき、延いては、端末１００のコストを削減できる。
【００８３】
≪その他変型例≫
本明細書において、プログラムを記述するステップは、その順序に沿って時系列的に行われる処理はもちろん、必ずしも時系列的に処理されなくとも、並列的あるいは個別に実行される処理をも含むものである。また、同様の効果や機能を奏し得る範囲において、ステップの順序が前後してもよい。
【００８４】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換など種々の変更を行うことができる。これら実施形態やその変形は、本明細書などに記載された発明の範囲や要旨に含まれるとともに、特許請求の範囲に記載された発明とその均等の範囲に含まれる。
【符号の説明】
【００８５】
１０    災害対応支援システム
１００  端末（他端末）
１１１  ＣＰＵ（表示手段、操作受付手段、送信手段、受信手段）
１２０，１２０Ａ  対象データベース
１３０，１３０Ａ，１３０Ｂ  対象状態データベース
１３２  初期状態（状態）
１３３  第１状態（状態）
１３４  第２状態（状態）
１３５  第３状態（状態）
２１０  操作結果データ
３００  管理サーバ
【図１】
2020140408.tif 000003
【図２】
2020140408.tif 000004
【図３】
2020140408.tif 000005
【図４】
2020140408.tif 000006
【図５】
2020140408.tif 000007
【図６】
2020140408.tif 000008
【図７】
2020140408.tif 000009
【図８】
2020140408.tif 000010
【図９】
2020140408.tif 000011
【図１０】
2020140408.tif 000012
【図１１】
2020140408.tif 000013
【図１２】
2020140408.tif 000014
【図１３】
2020140408.tif 000015
【図１４】
2020140408.tif 000016
【図１５】
2020140408.tif 000017
【図１６】
2020140408.tif 000018
【図１７】
2020140408.tif 000019
【図１８】
2020140408.tif 000020
【図１９】
2020140408.tif 000021
【図２０】
2020140408.tif 000022
【図２１】
2020140408.tif 000023